(57)【要約】      （修正有）【課題】潜水運動と水中ゲームに使用される水中玩具を提供する。【解決手段】握持部２０、中空部２１、及び嵌合口２２を具えた握持体２、及び水底に沈められる少なくとも一つの沈水物体３を具え、泳者が握持体２を握持して水底に潜入し、並びに嵌合口２２により沈水物体３をつかんで水面に取り出すことができ、水中動物が狩りをする状況に類似の状況を形成して、運動の目的を達成するのみならず、ゲーム効果を達成する。【選択図】図１
0003109129.tif 000002
【実用新案登録請求の範囲】
【請求項１】
潜水運動と水中ゲームを融合させた水中玩具であり、握持体と少なくとも一つの沈水物体を具え、
該握持体は握持部と中空部を具え、該中空部に対応して嵌合口が設けられ、
該少なくとも一つの沈水物体は、そのサイズが該嵌合口より大きく、水底に沈めることができ、
この構造により、泳者が握持体を握持して水底に潜入し、その嵌合口で該沈水物体を捕捉して水面に取り出せることを特徴とする、水中玩具。
【請求項２】
請求項１記載の水中玩具において、握持体が可塑性プラスチック材を一体成形してなり水中動物の形態を呈することを特徴とする、水中玩具。
【請求項３】
請求項２記載の水中玩具において、握持体が鮫の形態に成形されて、握持部に鮫の後端が設置され、中空部に鮫の腹部が設置され、嵌合口は鮫が口を開けた形状に形成されたことを特徴とする、水中玩具。
【請求項４】
請求項３記載の水中玩具において、鮫が口を開けた形状の嵌合口に鮫の牙状の牙状歯形が形成されたことを特徴とする、水中玩具。
【請求項５】
請求項１記載の水中玩具において、沈水物体が可塑性プラスチック材料を一体成形してなり略球形態を呈することを特徴とする、水中玩具。
【請求項６】
請求項５記載の水中玩具において、略球形態の沈水物体がフグ、金魚、鮑、イルカ等の水中生物形態とされたことを特徴とする、水中玩具。
【請求項７】
請求項６記載の水中玩具において、略球形態の沈水物体が一体成形された可塑性プラスチック製のケースと腹部に充填されたウエイトを具えたことを特徴とする、水中玩具。
【請求項８】
請求項７記載の水中玩具において、ウエイトが油類液体とされたことを特徴とする、水中玩具。
【考案の詳細な説明】
【技術分野】
【０００１】
本考案は一種の水中玩具に係り、更に詳しくは、潜水運動により泳者に水底に潜入させて水底の予め置かれた沈水物体を、嵌合口を具えた握持体で捕捉して水上に取り出させ、運動とゲームを効果を達成する水中玩具に関する。
【背景技術】
【０００２】
異なる年齢層の児童或いは青少年が好む水上活動は異なり、年齢の増加に伴い好む活動もゲームの刺激性を具備するものとなり、青少年が銅貨を水中に投げ入れ、誰が先に水上に持ち帰るかというゲームはよく見られ、水中での謎当てゲームと共に、潜水運動を融合した水中ゲームであり、且つ相当にゲームの刺激性を具備する。
【０００３】
更に現在、団体性の水上活動が潜水運動と謎当てゲームに結合され、異なるグループの成員が一対一の方式で、問題を聞き取った後に、更に水底に潜入して水底に予め置かれた答案を水上に持ち帰り、水中での謎当てゲームが行なわれており、このような活動はゲーム性が十分で、潜水運動と結合されているため、活動が運動とゲーム性を兼ね備えた効果を具備する。
【考案の開示】
【考案が解決しようとする課題】
【０００４】
本考案の主要な目的は、潜水運動と水中ゲームの特性を融合するのみならず、アクティブで面白さを増した水中玩具を提供することにあり、それは沈水物体と握持体を具え、一つ或いは複数の沈水物体が予め水底に沈められ、泳者が手に嵌合口を具えた握持体を握持し、水底に潜入して沈水物体を握持体の嵌合口で捕捉して水上に持ち帰り、水中の動物が獲物を捕らえる状況に類似のゲーム性と運動を兼ね備えた効果を達成できるものとする。
【０００５】
上述の目的を達成するため、本考案の水中玩具は、握持体と少なくとも一つの沈水物体を具え、該握持体は握持部と中空部を具え、該中空部に対応するように嵌合口が設けられ、少なくとも一つの沈水物体は、そのサイズが該嵌合口よりやや大きく、水底に沈めることができ、このような構造により、泳者は手に該握持体を握持して水底に潜入し、並びに該嵌合口で沈水物体を捕捉して水面に持ち帰ることができる。
【課題を解決するための手段】
【０００６】
請求項１の考案は、潜水運動と水中ゲームを融合させた水中玩具であり、握持体と少なくとも一つの沈水物体を具え、
該握持体は握持部と中空部を具え、該中空部に対応して嵌合口が設けられ、
該少なくとも一つの沈水物体は、そのサイズが該嵌合口より大きく、水底に沈めることができ、
この構造により、泳者が握持体を握持して水底に潜入し、その嵌合口で該沈水物体を捕捉して水面に取り出せることを特徴とする、水中玩具としている。
請求項２の考案は、請求項１記載の水中玩具において、握持体が可塑性プラスチック材を一体成形してなり水中動物の形態を呈することを特徴とする、水中玩具としている。
請求項３の考案は、請求項２記載の水中玩具において、握持体が鮫の形態に成形されて、握持部に鮫の後端が設置され、中空部に鮫の腹部が設置され、嵌合口は鮫が口を開けた形状に形成されたことを特徴とする、水中玩具としている。
請求項４の考案は、請求項３記載の水中玩具において、鮫が口を開けた形状の嵌合口に鮫の牙状の牙状歯形が形成されたことを特徴とする、水中玩具としている。
請求項５の考案は、請求項１記載の水中玩具において、沈水物体が可塑性プラスチック材料を一体成形してなり略球形態を呈することを特徴とする、水中玩具としている。
請求項６の考案は、請求項５記載の水中玩具において、略球形態の沈水物体がフグ、金魚、鮑、イルカ等の水中生物形態とされたことを特徴とする、水中玩具としている。
請求項７の考案は、請求項６記載の水中玩具において、略球形態の沈水物体が一体成形された可塑性プラスチック製のケースと腹部に充填されたウエイトを具えたことを特徴とする、水中玩具としている。
請求項８の考案は、請求項７記載の水中玩具において、ウエイトが油類液体とされたことを特徴とする、水中玩具としている。
【考案の効果】
【０００７】
本考案の水中玩具は、潜水運動と水中ゲームの特性を融合するのみならず、アクティブで面白さを増した水中玩具を提供することにあり、それは沈水物体と握持体を具え、一つ或いは複数の沈水物体が予め水底に沈められ、泳者が手に嵌合口を具えた握持体を握持し、水底に潜入して沈水物体を握持体の嵌合口で捕捉して水上に持ち帰り、水中の動物が獲物を捕らえる状況に類似のゲーム性と運動を兼ね備えた効果を達成できる。
【考案を実施するための最良の形態】
【０００８】
図１に示されるように、本考案の水中玩具１は、握持体２及び複数の沈水物体３を具え、そのうち、握持体２は可塑性プラスチックを一体成形してなり鮫（或いは任意の水中動物の形態）の形態とされ、鮫の後端に手部による握持に便利な握持部２０が設けられ、鮫の腹部に中空部２１が形成され、鮫の口を開けた状態の口部に嵌合口２２が形成され、且つ嵌合口２２に鮫の歯に類似の牙状歯形２３が設けられ、沈水物体３をつかむ時に、プラスチック原料の塑性により鮫の牙をやや張開させて、拡大された口径で沈水物体３を嵌合口２２内に銜える（嵌合する）ことができる（図２）。且つ嵌合口２２内に嵌合した後、プラスチック原料の塑性牙状歯形２３が原状に回復することで、沈水物体３が落下することがない。嵌合口２２内の沈水物体３を取り出したい時は、同様にプラスチック原料の塑性により鮫の牙状歯形を張開させることで、順調に取り出すことができる。
【０００９】
該沈水物体３は、そのサイズが該嵌合口２２よりやや大きく、可塑性プラスチックを一体成形してなり、球体に類似し、図３から図６に示されるように、この球体に類似の沈水物体３は、フグ、金魚、鮑、イルカなどの形態に成形可能で、図１に示されるのは金魚形態の沈水物体３とされる。この球体に類似の沈水物体３は図７に示されるように、一体成形された可塑性プラスチック材ケース３０及び腹部に充填されたウエイト３１を具え、そのうち、ウエイト３１は油類液体が充填され、沈水物体３の重量が増加され、該沈水物体３が水中に沈むものとされる。
【００１０】
ゲームを行う前に、沈水物体３が水中に投げ込まれて水底に沈められ、ゲームを行う泳者は手で鮫形態の握持体２を握持し、各握持体２で二つの沈水物体３を捕捉するのを目標とし、水底に潜入し、沈水物体３を捕捉してはスタート地点に戻り、誰が先に二つの沈水物体３を捕捉できるかを争う。こうして、ゲームが開始すると泳者は鮫形態の握持体２を握持して水底に潜入し、嵌合口２２の鮫の牙に類似の牙状歯形２３で沈水物体３を捕捉し（図２）、並びにスタート地点に泳いで戻り、最も速く目標を達成した者が優勝する。これにより、本考案は水中動物が獲物を捕捉する状況を模擬し、ゲームを行えるほか、ゲームの面白さを増し、且つ潜水運動の目的を達成できる。
【００１１】
総合すると、本考案の水中玩具は確実に考案の目的を達成し、実用新案登録の要件に符合する。なお、以上の実施例は本考案の実施範囲を限定するものではなく、以上の実施例の説明及び図面の記載に基づきないする細部の修飾或いは改変は、いずれも本考案の請求範囲に属するものとする。
【図面の簡単な説明】
【００１２】
【図１】本考案の水中玩具の立体分解図である。
【図２】本考案の水中玩具の握持体が沈水物体を捕捉する立体図である。
【図３】本考案の沈水物体の異なる形態の立体図である。
【図４】本考案の沈水物体の異なる形態の立体図である。
【図５】本考案の沈水物体の異なる形態の立体図である。
【図６】本考案の沈水物体の異なる形態の立体図である。
【図７】図５の７−７断面図である。
【符号の説明】
【００１３】
１  水中玩具          ２  握持体
３  沈水物体          ２０  握持部
２１  中空部          ２２  嵌合口
２３  牙状歯形        ３０  ケース
３１  ウエイト
【図１】
0003109129.tif 000003
【図２】
0003109129.tif 000004
【図３】
0003109129.tif 000005
【図４】
0003109129.tif 000006
【図５】
0003109129.tif 000007
【図６】
0003109129.tif 000008
【図７】
0003109129.tif 000009